(57)【要約】      （修正有）【課題】簡易な構成により設置作業が容易となり、またゴミの滞留を防止でき、清掃作業も容易に行え、しかも低コストなコーナー部位のゴミ溜め防止具を提供する。【解決手段】壁面の如き垂直面Ｐと床面の如き水平面Ｑとが交差する直交コーナー部位に設置する防止具本体１Ａを、垂直面Ｐに固定する垂直面当接面部２と、水平面Ｑに固定する水平面当接面部３と、両面部２，３に対し傾斜状に交わるゴミ溜め防止面部４とを備えた木材、プラスチック材、不燃材もしくはゴム材による中実もしくは中空の外形略直角三角柱状又は略四面体状に形成し、防止具本体１Ａを垂直面Ｐまたは水平面Ｑのうち少なくともいずれか一面に貼着する。【選択図】図１
0003167828.tif 000002
【実用新案登録請求の範囲】
【請求項１】
垂直面と水平面とが交差する直交コーナー部位に設置される防止具本体を備え、該防止具本体は、垂直面に固定される垂直面当接面部と、水平面に固定される水平面当接面部と、両面部に対し傾斜状に交わるゴミ溜め防止面部とにより外形略直角三角柱状に形成されて成ることを特徴とするコーナー部位のゴミ溜め防止具。
【請求項２】
直交する２つの垂直面と水平面とがそれぞれ交差する三角コーナー部位に設置される防止具本体を備え、該防止具本体は、一方の垂直面に固定される第１垂直面当接面部と、他方の垂直面に固定される第２垂直当接面部と、水平面に固定される水平面当接面部と、各面部に対し傾斜状に交わるゴミ溜め防止面部とにより外形略四面体状に形成されて成ることを特徴とするコーナー部位のゴミ溜め防止具。
【請求項３】
防止具本体は、垂直面または水平面のうち少なくともいずれか一面に貼着されるものとした請求項１または２記載のコーナー部位のゴミ溜め防止具。
【請求項４】
防止具本体は、木材、プラスチック材、不燃材もしくはゴム材により中実もしくは中空に形成されて成る請求項１乃至３のいずれか記載のコーナー部位のゴミ溜め防止具。
【請求項５】
垂直面と水平面とが交差する直交コーナー部位に設置される防止具本体を備え、防止具本体は、垂直面に固定される垂直面当接面部と、水平面に固定される水平面当接面部と、両面部に対し傾斜状に交わるゴミ溜め防止面部とを備えた木材、プラスチック材、不燃材もしくはゴム材による中実もしくは中空の外形略直角三角柱状に形成され、防止具本体は垂直面または水平面のうち少なくともいずれか一面に貼着されるものとしたことを特徴とするコーナー部位のゴミ溜め防止具。
【請求項６】
直交する２つの垂直面と水平面とがそれぞれ交差する三角コーナー部位に設置される防止具本体を備え、防止具本体は、一方の垂直に固定される第１垂直当接面部と、他方の垂直面に固定される第２垂直面当接面部と、水平面に固定される水平面当接面部と、各面部に対し傾斜状に交わるゴミ溜め防止面部とを備えた木材、プラスチック材、不燃材もしくはゴム材による中実もしくは中空の外形略四面体状に形成され、防止具本体は垂直面または水平面のうち少なくともいずれか一面に貼着されるものとしたことを特徴とするコーナー部位のゴミ溜め防止具。
【考案の詳細な説明】
【技術分野】
【０００１】
本考案は、例えば建屋内の壁面と床面とが交差する直交コーナー状の隅部位、あるいは直交する２つの壁面と床面とがそれぞれ交差する三角コーナー状の隅角部位、更には屋外の路側帯、縁石等の路面とこの路面に対する垂直縁面とのコーナー部位その他に設置され、当該直交コーナー部位および三角コーナー部位それぞれにゴミが溜まるのを防止し、またその除去清掃を容易にするコーナー部位のゴミ溜め防止具に関するものである。
【背景技術】
【０００２】
従来、例えば建屋内の壁面と床面とが直角となって交差する直交コーナー状の隅部位において、当該部位へのゴミの滞留を防止し、また美感を向上させること等を目的として、上部幅木材と下部幅木材とに分割された幅木と称するゴミ溜め防止用の部材が壁面と床面とにかけて設置されることがある。
【０００３】
その一つは例えば、特許文献１に開示されているような幅木取付構造である。この幅木取付構造は、下部幅木材は合成樹脂からなる弾力性を有するもので成形され、この形状は直方体状で下部が室内側にスカート状に突出することにより床面の上のゴミの滞留を少なくしている。また、上部幅木材は、木材、合成樹脂、金属等の材質により矩形状に形成され、この下縁に溝状の嵌合凹部が形成され、下部幅木材の上縁の凸部が嵌挿することで固着されるものとなっている。
【０００４】
また、特許文献２に開示されているような幅木材と床材の納まり構造がある。この幅木材と床材の納まり構造は、表面にネジ穴が設けられた床材の当該ネジ穴からネジを打ち込むことによって床下地上に床材が固定され、壁面と接する隅部の床材上に、表面側下端に切り欠きを有する上部幅木材と、この切り欠きと嵌合する凸部を表面側上端に有する下部幅木材とから成る幅木とを備え、切り欠きと凸部が嵌合するように且つ少なくとも下部幅木材が自体の表面側からネジにより床材に固着されるものとなっている。
【０００５】
さらに、特許文献３に開示されているような幅木取付構造がある。この幅木取付構造は、上部幅木材と下部幅木材とに分割された幅木をワンタッチで簡単に設置できるよう上部幅木材の下端部表面側には切り欠きが形成され、下端部裏面側に凸部が設けられており、下部幅木材の上面は壁下地材を載置する第１面と、第１面よりも高いレベルにあって上部幅木材の裏面側凸部を載置する第２面と、第２面よりもさらに高いレベルにあって上部幅木材の切り欠きとの間に隙間を形成している第３面とを有して少なくとも三段に形成され、下部幅木材の第１面が前方に向けて下り傾斜の傾斜面として形成され、この傾斜面に対して幅木係止金具の上面部が圧接するように取り付けられるものとなっている。
【先行技術文献】
【特許文献】
【０００６】
【特許文献１】特開２００５−９７９３７号公報
【特許文献２】特開２０００−２２０２８５号公報
【特許文献３】特開２００１−１８２３０８号公報
【考案の概要】
【考案が解決しようとする課題】
【０００７】
しかしながら、上述した従来のものにおいては、特許文献１乃至特許文献３に開示されているように、幅木自体は、上部幅木材と下部幅木材との２部材に分割されているため、当該両幅木材の相互間の隙間を無くすための凹凸嵌合等の様々な工夫が要求されるものとなっている。しかも、両幅木材の少なくとも一方は、壁面もしくは床面に対する保持安定性を確保するため、ネジ穴にネジを打ち込むことによって固着されている。そのため従来では、幅木材の構造自体が複雑化しており、設置作業も非常に面倒で且つコストも高くついてしまうという問題点を有していた。
【０００８】
そればかりでなく、屋外の路面における路側帯や、縁石等の路面とこの路面に対しほぼ垂直となっている直立縁面とが交差しているコーナー部位においても、同様に路上のゴミ、落葉その他の各種の塵埃が吹き溜りとなって堆積することが多く、その清掃は面倒である。
【０００９】
そこで、本考案は上述したような従来存した諸事情に鑑み創案されたもので、例えば建屋内では従来の上部幅木材と下部幅木材との２部材から成る幅木構成によってゴミ溜め防止を行う代わりに、簡易な構成により設置作業が容易となり、またゴミの滞留を防止でき、清掃作業も容易に行えるものとし、また建屋内のみならず、屋外の路側帯や縁石等によるコーナー部位においても同様に設置でき、しかも低コストで提供できる壁床間のゴミ溜め防止具を提供することを目的とする。
【課題を解決するための手段】
【００１０】
上述した課題を解決するために、本考案にあっては、例えば壁面の如き垂直面Ｐと床面の如き水平面Ｑとが交差する直交コーナー部位に設置される防止具本体１Ａを備え、該防止具本体１Ａは、垂直面Ｐに固定される垂直面当接面部２と、水平面Ｑに固定される水平面当接面部３と、両面部２，３に対し傾斜状に交わるゴミ溜め防止面部４とにより外形略直角三角柱状に形成されて成ることを特徴とする。
また、直交する２つの例えば壁面の如き垂直面Ｐ１，Ｐ２と床面の如き水平面Ｑとがそれぞれ交差する三角コーナー部位に設置される防止具本体１Ｂを備え、該防止具本体１Ｂは、一方の垂直面Ｐ１に固定される第１垂直面当接面部２Ａと、他方の垂直面Ｐ２に固定される第２垂直面当接面部２Ｂと、水平面Ｑに固定される水平面当接面部３と、各面部２Ａ，２Ｂ，３に対し傾斜状に交わるゴミ溜め防止面部４とにより外形略四面体状に形成されて成ることを特徴とする。
防止具本体１Ａ，１Ｂは、垂直面Ｐ，Ｐ１，Ｐ２または水平面Ｑのうち少なくともいずれか一面に貼着されるものとすることができる。
防止具本体１Ａ，１Ｂは、木材、プラスチック材、不燃材もしくはゴム材、好ましくは導電性プラスチック材もしくは導電性ゴム材により中実もしくは中空に形成されて成るものとすることができる。
【００１１】
以上のように構成された本考案に係るコーナー部位のゴミ溜め防止具にあって、壁面の如き垂直面Ｐと床面の如き水平面Ｑとが交差する直交コーナー部位に防止具本体１Ａを設置するに際し、水平面当接面部３を水平面Ｑに固定させ、垂直面当接面部２を垂直面Ｐに固定させることで、ゴミ溜め防止面部４を垂直面Ｐ前方に向けて下り傾斜の傾斜面となって配置させる。
直交する２つの垂直面Ｐ１，Ｐ２と水平面Ｑとがそれぞれ交差する三角コーナー部位に防止具本体１Ｂを設置するに際し、水平面当接面部３を水平面Ｑに固定させ、第１垂直面当接面部２Ａを一方の垂直面Ｐ１に固定させ、第２垂直面当接面部２Ｂを他方の垂直面Ｐ２に固定させることで、ゴミ溜め防止面部４を直交する垂直面Ｐ１，Ｐ２相互の前方に向けて下り傾斜の傾斜面として配置させる。
垂直面Ｐ，Ｐ１，Ｐ２または水平面Ｑのうち少なくともいずれか一面に貼着される防止具本体１Ａ，１Ｂは、垂直面Ｐ，Ｐ１，Ｐ２もしくは水平面Ｑに対して防止具本体１Ａ，１Ｂ自体を安定保持させる。
導電性プラスチック材もしくは導電性ゴム材によって形成されていることで、また中実もしくは中空に形成されて成る防止具本体１Ａ，１Ｂは、当該防止具本体１Ａ，１Ｂの堅牢性および耐候性を向上させると同時に、両材料が導電性であることで静電気を逃がすことができ、ゴミ溜め防止面部４への静電気によるゴミの付着を阻止させる。また、不燃材を素材とすることで、例えば屋外設置の場合のタバコ吸い殻等による延焼を防止させ、安全性を向上させる。
【考案の効果】
【００１２】
本考案によれば、簡易な構成により例えば建屋内での壁面と床面とが交差する隅部位、隅角部位、また屋外での路側帯、縁石等におけるコーナー部位等に対する設置作業が容易となり、またゴミの滞留を防止でき、清掃作業も容易に行えるものとし、しかも低コストで提供できる。
【００１３】
すなわち、これは本考案が、垂直面Ｐと水平面Ｑとが交差する直交コーナー部位に設置される防止具本体１Ａは、垂直面Ｐに固定される垂直面当接面部２と、水平面Ｑに固定される水平面当接面部３と、両面部２，３に対し傾斜状に交わるゴミ溜め防止面部４とにより外形略直角三角柱状に形成されて成るからであり、これにより、水平面当接面部３の水平面Ｑへの固定、垂直面当接面部２の垂直面Ｐへの固定によって、ゴミ溜め防止面部４を垂直面Ｐ前方に向けて下り傾斜の傾斜面となって配置させることができる。このため、当該ゴミ溜め防止面部４によって、例えば建屋内における壁面等の垂直面Ｐと床面等の水平面Ｑとが交差する場所、また路側帯や縁石設置場所等の路面とこの路面に対しほぼ直立している直立縁面との直交コーナー部位が傾斜面とされるものとなり、当該直交コーナー部位へのゴミの滞留を未然に防止することができる。
【００１４】
また、直交する２つの垂直面Ｐ１，Ｐ２と水平面Ｑとがそれぞれ交差する三角コーナー部位に設置される防止具本体１Ｂは、一方の垂直面Ｐ１に固定される第１垂直面当接面部２Ａと、他方の垂直面Ｐ２に固定される第２垂直面当接面部２Ｂと、水平面Ｑに固定される水平面当接面部３と、各面部２Ａ，２Ｂ，３に対し傾斜状に交わるゴミ溜め防止面部４とにより外形略四面体状に形成されて成るので、水平面当接面部３の水平面Ｑへの固定、第１垂直面当接面部２Ａの一方の垂直面Ｐ１への固定、第２垂直面当接面部２Ｂの他方の垂直面Ｐ２への固定によって、ゴミ溜め防止面部４を直交する垂直面Ｐ１，Ｐ２相互の前方に向けて下り傾斜の傾斜面となって配置させることができる。このため、当該ゴミ溜め防止面部４によって、直交する２つの垂直面Ｐ１，Ｐ２と水平面Ｑとがそれぞれ交差する三角コーナー部位が完全に遮蔽されるものとなり、当該三角コーナー部位へのゴミの滞留を未然に防止することができる。
【００１５】
防止具本体１Ａ，１Ｂは、垂直面Ｐ，Ｐ１，Ｐ２または水平面Ｑのうち少なくともいずれか一面に貼着されるものとしたので、垂直面Ｐ，Ｐ１，Ｐ２もしくは水平面Ｑに対する防止具本体１Ａ，１Ｂ自体の保持安定性を確保することができる。
【００１６】
防止具本体１Ａ，１Ｂは、木材、プラスチック材、不燃材もしくはゴム材により中実もしくは中空に形成されて成るので、防止具本体１Ａ，１Ｂの堅牢性および耐候性の向上を図ることができる。特に、防止具本体１Ａ，１Ｂが導電性プラスチック材である場合は、その表面が低摩擦面にすることが可能であるため、付着物の剥離が容易となり、ゴミ溜め防止面部４へ付着したゴミの除去を容易に行うことができ、しかもゴミ溜め防止面部４への静電気によるゴミの付着を防止することができる。
【００１７】
また、防止具本体１Ａ，１Ｂを不燃材を素材として形成することで、例えば屋外の路側帯等に設置した場合、タバコ吸い殻等による延焼を防止でき、安全でもある。
【００１８】
また、防止具本体１Ａ，１Ｂは、以上に説明した建屋内での壁面と床面との直交部位、屋外での路面等における直交部位に設置される場合に限らず、このような直交している部分であれば、いずれであっても設置でき、例えば階段の蹴込み部位、家具類の設置縁部位その他にも適用可能である。
【００１９】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００２０】
【図１】本考案の実施の形態における例えば建屋内の壁面と床面とが交差する直交コーナー部位に長尺形の防止具本体を設置する一例を示すもので、（ａ）は設置前の斜視図、（ｂ）は設置後の断面図である。
【図２】同じく剥離紙を剥離し接着剤層を露出させて設置する例を示す斜視図である。
【図３】直交する２つの例えば壁面と床面とがそれぞれ交差する三角コーナー部位に三角コーナー形の防止具本体を設置する一例を示す斜視図である。
【図４】同じく剥離紙を剥離し接着剤層を露出させて設置する例を示す斜視図である。
【図５】長尺形の防止具本体と三角コーナー形の防止具本体との接合部位での詳細を示す斜視図である。
【考案を実施するための形態】
【００２１】
以下、図面を参照して本考案の実施の形態を詳細に説明すると、図において示される符号１Ａは、本考案に係るゴミ溜め防止具を構成する外形略直角三角柱状に形成され、例えば建屋内における壁面の如き垂直面Ｐと床面の如き水平面Ｑとが交差している直交コーナー部位に設置される長尺形の防止具本体である。この防止具本体１Ａは、図１（ａ）および図１（ｂ）に示すように、例えば木材、プラスチック材、適宜な不燃材もしくはゴム材等、好ましくは導電性素材の一体成形によって基準の長さが例えば約１メートル程度の長尺でしかも中実または中空に形成され、垂直面Ｐと水平面Ｑとの角度が略９０°となって交差する直交コーナー部位に設置されるものとなっている。
【００２２】
すなわち、防止具本体１Ａは、直角三角柱の互いに直交する側面のうちの一側矩形面が垂直面Ｐに固定される垂直面当接面部２となり、他側矩形面が水平面Ｑに固定される水平面当接面部３となっている。そして、両面部２，３と傾斜状に交わる傾斜矩形面が、垂直面Ｐ前方に向けて下り傾斜の傾斜面となるゴミ溜め防止面部４となっている。さらに防止具本体１Ａの両端は、複数の防止具本体１Ａを設置させるに際し、これら防止具本体１Ａ同士を直列に接合させるための端部接合面部５となっている。
【００２３】
本実施例においては、防止具本体１Ａの具体的なサイズとして垂直面当接面部２の幅・高さを例えば約２０ミリメートル、水平面当接面部３の幅を約３０ミリメートル、ゴミ溜め防止面部４の幅を約３６ミリメートルにしてある。尚、本考案はこれらの大きさに限定されるものではなく、屋外における路側帯、縁石等において設置される場合はこれらの大きさに対応して屋内用のそれより大きく構成されることもある。
【００２４】
使用に際し、防止具本体１Ａは、垂直面Ｐまたは水平面Ｑのうち少なくとも一方に例えば接着剤等で貼着されるものとなっている。すなわち、垂直面当接面部２あるいは水平面当接面部３を接着剤を塗布する接着面とすることによって垂直面Ｐあるいは水平面Ｑに貼着する。さらに防止具本体１Ａの端部接合面部５も接着面とすることによって他方の防止具本体１Ａの端面に貼着する。あるいは各面部それぞれを接着剤を塗布する接着面としてもよい。
【００２５】
また、上記接着剤を使用する代わりに、図２に示すように、垂直面当接面部２、水平面当接面部３、防止具本体１Ａの端部接合面部５それぞれに接着剤層６を形成し、離型紙７によってこの接着剤層６を覆っておき、防止具本体１Ａの設置に際し、離型紙７を剥離し接着剤層７を露出させてから貼着するようにしてもよい。
【００２６】
次に、以上のように構成された形態についての使用の一例について説明すると、例えば建屋内における壁面、床面等の垂直面Ｐと水平面Ｑとが交差する直交コーナー部位にその長さに応じた複数の長尺形の防止具本体１を直列に設置する。この際、防止具本体１Ａの水平面当接面部３を水平面Ｑに、あるいは垂直面当接面部２を垂直面Ｐに、接着剤を塗布した接着面、または離型紙７を剥離して露出させた接着剤層６等で固定する。これと同時に防止具本体１Ａの端部接合面部５を接着面とすることによって、既に設置されている防止具本体１Ａの端面に貼着する。
【００２７】
これによりゴミ溜め防止面部４を垂直面Ｐ前方に向けて下り傾斜の傾斜面として配置させられると同時に垂直面Ｐもしくは水平面Ｑに対する防止具本体１Ａ自体の保持安定性が確保される。
【００２８】
図３は、本考案に係る壁床間のゴミ溜め防止具の他例を示すもので、本例では、直交する２つの壁面の如き垂直面Ｐ１，Ｐ２と床面の如き水平面Ｑとがそれぞれ交差する三角コーナー部位の隅角部位に設置するよう、外形略四面体状に形成された三角コーナー形の防止具本体１Ｂである。この防止具本体１Ｂは、例えば木材、プラスチック材、ゴム材、適宜な不燃材の一体成形によって中実または中空に形成され、直交する２つの垂直面Ｐ１，Ｐ２と水平面Ｑとがそれぞれ角度９０°となって交差する三角コーナー部位に設置されるものとなっている。
【００２９】
すなわち、防止具本体１Ｂは、四面体の互いに直交する３つの直角三角形側面のうちの第１の直角三角面が一方の垂直面Ｐ１に固定される第１垂直面当接面部２Ａとなり、第２の直角三角側面が他方の垂直面Ｐ２に固定される第２垂直面当接面部２Ｂとなり、第３の直角三角形側面が水平面Ｑに固定される水平面当接面部３となっている。そして、互いに直交する３つの直角三角形側面それぞれに対し傾斜状となって交わる直角三角形傾斜面が、互いに直交する垂直面Ｐ１，Ｐ２前方に向けて下り傾斜の傾斜面となるゴミ溜め防止面部４となっている。
【００３０】
本例においては、第１垂直面当接面部２Ａ、第２垂直面当接面部２Ｂ、水平面当接面部３それぞれを構成する３つの直角三角形側面それぞれの互いに直交する各辺の長さを約２０ミリメートル、ゴミ溜め防止面部４を構成する直角三角形傾斜面の辺の長さを約３０ミリメートルにしてある。尚、本考案はこれらの大きさに限定されるものではない。
【００３１】
本例における使用に際し、防止具本体１Ｂは、例えば建屋内における壁面、床面等の垂直面Ｐ１，Ｐ２または水平面Ｑのうち少なくともいずれか一面に例えば接着剤等で貼着されるものとなっている。すなわち、図３に示すように、第１垂直面当接面部２Ａ、第２垂直面当接面部２Ｂそれぞれを接着剤で塗布した接着面とすることによって各垂直面Ｐ１，Ｐ２に貼着するか、あるいは水平面当接面部３を接着剤で塗布した接着面とすることによって水平面Ｑに貼着するか、あるいはまた各面部２Ａ，２Ｂ，３それぞれを接着剤で塗布した接着面とすることによって垂直面Ｐ１，Ｐ２、水平面Ｑそれぞれに貼着するかのいずれであってもよい。
【００３２】
また、上記接着剤を使用する代わりに、図４に示すように、第１垂直面当接面部２Ａ、第２垂直面当接面部２Ｂ、水平面当接面部３のそれぞれに接着剤層６を形成し、離型紙７によってこの接着剤層６を覆っておき、防止具本体１Ｂの設置に際し、離型紙７を剥離し接着剤層６を露出させてから貼着するようにしてもよい。
【００３３】
図５に示すように、長尺形の防止具本体１Ａと三角コーナー形の防止具本体１Ｂとの併設に際し、両者の接合部位は、長尺形の防止具本体１Ａの端部を斜めに切断し、この長尺形の防止具本体１Ａのゴミ溜め防止面部４が三角コーナー形の防止具本体１Ｂのゴミ溜め防止面部４の傾斜面上に隙間なく接合させることが可能となるように対応させている。
【００３４】
次に、以上のように構成された他例についての使用の一例について説明すると、直交する２つの垂直面Ｐ１，Ｐ２と水平面Ｑとがそれぞれ角度９０°となって交差する三角コーナー部位に三角コーナー形の防止具本体１Ｂを設置するに際し、当該防止具本体１Ｂの水平面当接面部３を水平面Ｑに、あるいは第１垂直面当接面部２Ａを一方の垂直面Ｐ１にもしくは第２垂直面当接面部２Ｂを他方の垂直面Ｐ２に、接着剤を塗布した接着面、または離型紙７を剥離して露出させた接着剤層６等で固定する。あるいは各面部２Ａ，２Ｂ，３それぞれを接着剤を塗布した接着面、または離型紙７を剥離して露出させた接着剤層６等とすることによって垂直面Ｐ、水平面Ｑそれぞれに貼着する。
【００３５】
これによりゴミ溜め防止面部４を互いに直交する垂直面Ｐ１，Ｐ２前方に向けて下り傾斜の傾斜面として配置させられると同時に垂直面Ｐ１，Ｐ２もしくは水平面Ｑに対する防止具本体１Ｂ自体の保持安定性が確保される。
【００３６】
また、長尺形の防止具本体１Ａと三角コーナー形の防止具本体１Ｂとを併用して設けるに際し、図５に示すように、長尺形の防止具本体１Ａの端部接合面部５を予め斜めに切断しておき、両者の接合部位において三角コーナー形の防止具本体１Ｂのゴミ溜め防止面部４の傾斜面にこの切断端面を隙間なく接合させ、必要に応じて例えば接着剤等で固定させる。
【符号の説明】
【００３７】
Ｐ…垂直面（壁面）                      Ｑ…水平面（床面）
Ｐ１…一方の垂直面                      Ｐ２…他方の垂直面
１Ａ…長尺形の防止具本体                １Ｂ…三角コーナー形の防止具本体
２…垂直面当接面部                      ２Ａ…第１垂直面当接面部
２Ｂ…第２垂直面当接面部                ３…水平面当接面部
４…ゴミ溜め防止面部                    ５…端部接合面部
６…接着剤層                            ７…剥離紙
【図１】
0003167828.tif 000003
【図２】
0003167828.tif 000004
【図３】
0003167828.tif 000005
【図４】
0003167828.tif 000006
【図５】
0003167828.tif 000007